(57)【要約】【課題】表示部が第１の筐体に支持機構を介して縦長状態と横長状態とに切換操作可能に支持された折畳み式携帯通信端末において、表示部が縦長状態にあるときと横長状態にあるときのいずれにおいても、表示部のぐらつきを防止する。【解決手段】液晶表示部２を支持するカム機構（支持機構）１０に、ガイドプレート１６に設けた左右方向に延びる第１ガイド溝１２及び上下方向に延びる第２ガイド溝１４と、液晶表示部２の裏面に設けた１ガイド溝１２にスライド自在に係合する第１ガイドピン１３及び第２ガイド溝１４にスライド自在に係合する第２ガイドピン１５とを設ける。液晶表示部２が縦長状態にあるときと横長状態にあるときのいずれにおいても、液晶表示部２を保持する保持機構３０を設ける。【選択図】図５
2008193522.tif 000002
【特許請求の範囲】
【請求項１】
表面に表示部が設けられた第１の筐体と、
表面に操作部を有する第２の筐体と、
上記第１の筐体と第２の筐体とを折畳み開閉自在に連結するヒンジ部とを備え、
上記表示部は、上記第１の筐体に支持機構を介して、縦長状態と横長状態とに切換操作可能に支持されており、
上記支持機構は、第１の筐体に設けられ左右方向に延びる中凸状に湾曲した曲線状の第１ガイド溝と、第１の筐体に設けられ上下方向に延びる第２ガイド溝と、表示部の裏面に設けられ上記第１ガイド溝にスライド自在に係合する第１ガイドピンと、表示部の裏面に設けられ上記第２ガイド溝にスライド自在に係合する第２ガイドピンとを備え、
上記表示部が縦長状態にあるときと横長状態にあるときのいずれにおいても、表示部を保持する保持機構を備えている
ことを特徴とする折畳み式携帯通信端末。
【請求項２】
請求項１に記載の折畳み式携帯通信端末において、
上記保持機構は、上記第２ガイドピンを付勢するように構成されている
ことを特徴とする折畳み式携帯通信端末。
【請求項３】
請求項１又は２に記載の折畳み式携帯通信端末において、
上記第１ガイドピンは、上記第１ガイド溝の周縁を摺動する第１円板部を備え、
上記第２ガイドピンは、上記第２ガイド溝の周縁を摺動する第２円板部を備え、
上記保持機構は、
上記第２円板部を保持する保持部材と、
該保持部材を付勢する保持用弾性部材と、
を備えている
ことを特徴とする折畳み式携帯通信端末。
【請求項４】
請求項３に記載の折畳み式携帯通信端末において、
上記保持部材は、第１の筐体に設けた保持部材支持用ピンに揺動自在に支持され、上記保持用弾性部材によって上記第２ガイドピンを上記第２ガイド溝の下端部に付勢するように構成されている
ことを特徴とする折畳み式携帯通信端末。
【請求項５】
請求項４に記載の折畳み式携帯通信端末において、
上記保持用弾性部材は、一端が上記第１の筐体に固定され、他端が上記保持部材を下方へ付勢するねじりコイルバネよりなる
ことを特徴とする折畳み式携帯通信端末。
【請求項６】
請求項４又は５に記載の折畳み式携帯通信端末において、
上記第２円板部の上面の上側には、上記保持部材による規制を解除する際に保持部材が乗り越える上側面取り部が形成されている
ことを特徴とする折畳み式携帯通信端末。
【請求項７】
請求項６に記載の折畳み式携帯通信端末において、
上記第２円板部の上面の下側には、上記表示部が切換操作されて縦長状態又は横長状態で保持される際に保持部材が乗り越える下側面取り部が形成されている
ことを特徴とする折畳み式携帯通信端末。
【請求項８】
請求項７に記載の折畳み式携帯通信端末において、
上記下側面取り部の傾斜角は、上側面取り部の傾斜角よりも小さくなっている
ことを特徴とする折畳み式携帯通信端末。
【請求項９】
請求項４乃至８のいずれか１つに記載の折畳み式携帯通信端末において、
上記保持部材上側の上記第２円板部に当接する部分には、第２ガイド溝から離れる方向へ折り曲げられたテーパ面が形成されている
ことを特徴とする折畳み式携帯通信端末。
【請求項１０】
請求項４乃至９のいずれか１つに記載の折畳み式携帯通信端末において、
上記第２ガイド溝の近傍には、上記保持部材が所定の位置よりも下側に移動するのを規制するストッパ部が設けられている
ことを特徴とする折畳み式携帯通信端末。
【請求項１１】
請求項１乃至１０のいずれか１つに記載の折畳み式携帯通信端末において、
上記第１ガイドピンと第２ガイドピンとは、リンク部材によって連結され、該リンク部材が上記表示部の裏側に固定されている
ことを特徴とする折畳み式携帯通信端末。
【請求項１２】
請求項１乃至１１のいずれか１つに記載の折畳み式携帯通信端末において、
上記第１の筐体は、
上記ヒンジ部の一部を構成する第１の筐体本体と、
該第１の筐体本体に固定されるガイドプレートと、
を備え、
上記支持機構及び保持機構は、上記ガイドプレートに設けられている
ことを特徴とする折畳み式携帯通信端末。
【請求項１３】
請求項１２に記載の折畳み式携帯通信端末において、
上記支持機構には、一端が上記第１ガイドピンに固定され、他端が上記ガイドプレートに固定され、表示部が縦長状態又は横長状態となるように付勢する切換補助用弾性部材が設けられている
ことを特徴とする折畳み式携帯通信端末。
【請求項１４】
請求項１３に記載の折畳み式携帯通信端末において、
上記切換補助用弾性部材は、上記第１ガイド溝の最上点近傍で最も圧縮されるように配置されている
ことを特徴とする折畳み式携帯通信端末。
【請求項１５】
請求項１乃至１４のいずれか１つに記載の折畳み式携帯通信端末において、
上記第２ガイド溝は、上記ヒンジ部の軸方向に対して略直交する方向に伸びている
ことを特徴とする折畳み式携帯通信端末。
【請求項１６】
請求項１乃至１４のいずれか１つに記載の折畳み式携帯通信端末において、
上記第２ガイド溝は、上記ヒンジ部の軸方向に対して傾斜する方向に伸びている
ことを特徴とする折畳み式携帯通信端末。
【請求項１７】
請求項１乃至１４のいずれか１つに記載の折畳み式携帯通信端末において、
上記第２ガイド溝は、湾曲する曲線形状を有している
ことを特徴とする折畳み式携帯通信端末。
【請求項１８】
携帯電話機である
ことを特徴とする請求項１乃至１７のいずれか１つに記載の折畳み式携帯通信端末。
【発明の詳細な説明】
【技術分野】
【０００１】
本発明は、折畳み式携帯通信端末に関し、特に表示部を縦長状態又は横長状態に切換操作可能に支持するものに関する。
【背景技術】
【０００２】
近年、携帯電話機は、通話機能だけでなく、電子メールの送受信機能、デジタルカメラ機能、録音再生機能、テレビ受信機能、スケジュール管理機能など多数の機能を備えるようになっている。
【０００３】
一方、携帯電話機の主な機能は依然として通話機能であり、また、その携帯性のために小型化、軽量化が商品性の面で重要となっている。また、使い勝手の面を重視して、携帯電話機は、横幅を抑えた縦長形状となっている。
【０００４】
上記携帯電話機の表示部が縦長状態で固定されていると、横長の画像を表示する場合には、縦長の画面に入るように縮小表示するか又は横スクロール操作により画像全体を見るようにしなければならなかった。
【０００５】
また、縦長状態の表示部に横長の画像を９０度回転させて、その画像を見ることも考えられるが、表示部と操作部とが、第１の筐体と第２の筐体とが開いた状態で現出する折畳み式携帯通信端末では、操作部も９０度回転した状態となるので、操作キーに表された表示も９０度回転した状態で見ることになり、また、普段とは異なる操作キーの配置であるため、入力操作が極めて困難になるという問題があった。
【０００６】
そこで、この問題を解決するために、例えば、特許文献１の折畳み式携帯通信端末では、携帯電話機自体は縦長に持ったままの状態で、表示部を縦長状態から横長状態に切換操作可能に第１の筐体に支持している。この折畳み式携帯通信端末では、表示部の中心部に表示部に対して垂直に支持軸を設け、この支持軸を中心として表示部を９０度回転させるようにしている。
【０００７】
また、特許文献２の移動端末機は、多数のキー入力部が設けられた第１ケーシングと、文字及び画像を表示できるディスプレイ部が設けられた第２ケーシングとを備え、一端部が第１ケーシングと折畳み可能に第１ケーシングにヒンジ結合され、他端部が第２ケーシングの一領域に接触するように連結する連結部材と、第２ケーシングの一領域と連結部材の他端部との間に設けられ、第２ケーシングを連結部材との接触面に沿って所定の角度の範囲内で回動させる回動手段と、回動手段により第２ケーシングが回動するとき、上記ディスプレイ部に表示されるイメージを変換させる機能を行う信号処理装置を備えている。この移動端末機では、ディスプレイ部の位置は垂直及び水平方向に変換されるとともに、表示される画像の大きさも変更される。
【０００８】
また、特許文献３に示されるように、表示部を第１の筐体にスライド可能かつ回転可能に支持する支持機構を有する折畳み式携帯通信端末が知られている。この折畳み式携帯通信端末では、表示部を上下にスライド移動させてから、表示部の中央部に設けた支持軸を中心に回転させているため、その分、ヒンジ部や第１の筐体の下端に設けた膨出部との接触が避けられ、表示部を大きくすることができる。
【０００９】
一方、特許文献４のように、表面に表示部が設けられた第１の筐体と、表面に操作部を有する第２の筐体と、第１の筐体と第２の筐体とを折畳み開閉自在に連結するヒンジ部とを備え、表示部は、上記第１の筐体に支持機構を介して、縦長状態と横長状態とに切換操作可能に支持されており、上記支持機構は、上記表示部の切換操作時に該表示部の下端側コーナー部がヒンジ部に沿って移動するように表示部の縦長状態と横長状態との切換を案内支持するものが知られている。
【特許文献１】特開２００１−１５６８９３号公報
【特許文献２】特開２００３−１１４６７０号公報
【特許文献３】特開２００３−３１９０４３号公報
【特許文献４】特開２００６−２１１５７６号公報
【発明の開示】
【発明が解決しようとする課題】
【００１０】
しかしながら、上記特許文献１乃至３の発明では、表示部は、第１の筐体に対して１本の支持ピンのみで支持されているため、特に表示部を横長状態としたとき、支持ピンに曲げモーメントが作用して表示部がぐらつきやすい。
【００１１】
一方、上記特許文献４の発明では、カム機構を利用しているので、特許文献１乃至３のような１本の支持ピンの場合に比べてぐらつきが少ないが、より表示部の大型化が図られているので、横長状態でのぐらつきが避けられないという問題がある。
【００１２】
本発明は、かかる点に鑑みてなされたものであり、その目的とするところは、表示部が第１の筐体に支持機構を介して縦長状態と横長状態とに切換操作可能に支持された折畳み式携帯通信端末において、表示部が縦長状態にあるときと横長状態にあるときのいずれにおいても、表示部のぐらつきを防止することにある。
【課題を解決するための手段】
【００１３】
上記の目的を達成するために、第１の発明では、表面に表示部が設けられた第１の筐体と、
表面に操作部を有する第２の筐体と、
上記第１の筐体と第２の筐体とを折畳み開閉自在に連結するヒンジ部とを備え、
上記表示部が、上記第１の筐体に支持機構を介して、縦長状態と横長状態とに切換操作可能に支持された折畳み式携帯通信端末を対象とする。
【００１４】
そして、上記支持機構は、第１の筐体に設けられ左右方向に延びる中凸状に湾曲した曲線状の第１ガイド溝と、第１の筐体に設けられ上下方向に延びる第２ガイド溝と、表示部の裏面に設けられ上記第１ガイド溝にスライド自在に係合する第１ガイドピンと、表示部の裏面に設けられ上記第２ガイド溝にスライド自在に係合する第２ガイドピンとを備え、
上記表示部が縦長状態にあるときと横長状態にあるときのいずれにおいても、表示部を保持する保持機構を備えている。
【００１５】
上記の構成によると、通話時やメール送受信時などメインの機能使用時には、通常、表示部を縦長状態として使用する。一方、地上デジタルテレビ放送の視聴時や英文でメールを送受信するときなどには、表示部を横長状態として表示部に横長画像が大きく表示されるようにして、使い慣れた縦長状態と同じ操作キーの配列状態にある操作部でキー入力しながら使用する。このように表示部を縦長状態又は横長状態に切り換えるときには、ユーザが第１の筐体に支持された表示部を切換操作する必要がある。表示部が縦長状態又は横長状態にあるときには、第２ガイドピンは、第２ガイド溝の下端部に位置し、第１ガイドピンは第１ガイド溝の左右端部のいずれかに位置する。切換操作の際には、第１ガイドピンが第１ガイド溝に係合した状態で中間で最も上方に位置するように左右方向にスライド移動するのと同時に、第２ガイドピンが第２ガイド溝に係合した状態で上端部までスライド移動した後、再び下端部に戻る。この支持機構によって表示部がヒンジ部や第１の筐体の下端の膨出部などに接触しないように移動規制されながら、縦長状態又は横長状態に切り換えられる。
【００１６】
このとき、表示部は、縦長状態にあるときと横長状態にあるときのいずれにおいても、保持機構により保持されるので、曲げモーメントが作用する等によりぐらつきが生じやすい横長状態であっても、ユーザは表示部のぐらつきを感じることはない。
【００１７】
第２の発明では、第１の発明において、
上記保持機構は、上記第２ガイドピンを付勢するように構成されている。
【００１８】
すなわち、第１ガイドピンは、縦長状態又は横長状態にあるときには、第１ガイド溝の左右端部のいずれかに位置するため、保持機構によって第１ガイドピンを保持しようとすると、両方の位置において第１ガイドピンを付勢する必要がある。しかし、上記の構成によると、表示部が縦長状態及び横長状態のいずれの場合も第２ガイド溝の下端部に位置する第２ガイドピンを保持機構で付勢しているので、第２ガイドピンが安定して表示部がぐらつかず、部品点数が減って簡単な構成の保持機構が得られる。
【００１９】
第３の発明では、第１又は第２の発明において、
上記第１ガイドピンは、上記第１ガイド溝の周縁を摺動する第１円板部を備え、
上記第２ガイドピンは、上記第２ガイド溝の周縁を摺動する第２円板部を備え、
上記保持機構は、
上記第２円板部を保持する保持部材と、
該保持部材を付勢する保持用弾性部材と、
を備えている。
【００２０】
上記の構成によると、第１円板部によって第１ガイドピンが第１ガイド溝から抜け出すのが防止され、第２円板部によって第２ガイドピンが第２ガイド溝から抜け出すのが防止される。また、第２ガイドピンの第２円板部が、保持用弾性部材に付勢された保持部材により押圧されることで、第２ガイドピンが安定するので、結果として表示部のぐらつきが防止される。
【００２１】
第４の発明では、第３の発明において、
上記保持部材は、第１の筐体に設けた保持部材支持用ピンに揺動自在に支持され、上記保持用弾性部材によって上記第２ガイドピンを上記第２ガイド溝の下端部に付勢するようにしている。
【００２２】
上記の構成によると、第２ガイドピンは、保持用弾性部材によって第２ガイド溝の下端部に付勢されて安定しているので、表示部は横長状態及び縦長状態においてぐらつくことはない。横長状態又は縦長状態に切り換える際には、保持用弾性部材の付勢力に抗して保持部材を揺動させることにより、保持部材による保持が解除される。
【００２３】
第５の発明では、第４の発明において、
上記保持用弾性部材は、一端が上記第１の筐体に固定され、他端が上記保持部材を下方へ付勢するねじりコイルバネよりなる。
【００２４】
上記の構成によると、簡易かつ耐久性の高い構成で保持部材に下向きの付勢力が与えられる。
【００２５】
第６の発明では、第４又は５の発明において、
上記第２円板部の上面の上側には、上記保持部材による規制を解除する際に保持部材が乗り越える上側面取り部が形成されている。
【００２６】
上記の構成によると、表示部を回転させて保持機構による保持を解除する際に、表示部に一定以上の力を加えれば、保持部材が第２円板部の上面の上側面取り部に当接しながらスムーズに乗り越えるので、容易に表示部の切換が行われる。
【００２７】
第７の発明では、第６の発明において、
上記第２円板部の上面の下側には、上記表示部が切換操作されて縦長状態又は横長状態で保持される際に保持部材が乗り越える下側面取り部が形成されている。
【００２８】
すなわち、表示部を回転させて縦長状態又は横長状態で保持する際には、上昇した第２ガイドピンが再び第２ガイド溝の下端部に戻ってくるが、上記の構成によると、第２円板部には、下側面取り部が形成されているので、保持部材が下側面取り部に当接しながら容易に第２円板部を乗り越え、切換操作を阻害することはない。
【００２９】
第８の発明では、第７の発明において、
上記下側面取り部の傾斜角は、上側面取り部の傾斜角よりも小さくなっている。
【００３０】
上記の構成によると、下側面取り部の傾斜角を小さくすることで、表示部を回転させて縦長状態又は横長状態に切り換え、第２ガイドピンが第２ガイド溝の下端部に戻ってくる際に保持部材が滑らかに第２円板部上を移動するので、表示部の切換がスムーズに終了する。一方、上側面取り部の傾斜角を大きくすることで、意図せず表示部の縦長状態又は横長状態における保持が解除されるのが防止される。
【００３１】
第９の発明では、第４乃至第８のいずれか１つの発明において、
上記保持部材上側の上記第２円板部に当接する部分には、第２ガイド溝から離れる方向へ折り曲げられたテーパ面が形成されている。
【００３２】
上記の構成によると、表示部を回転させて縦長状態又は横長状態に切り換え、第２ガイドピンが、第２ガイド溝の下端部に戻ってくる際に、まず保持部材のテーパ面に当接して保持部材を上に押し上げながら容易に保持部材の下面を通過するので、保持部材が容易に第２円板部を乗り越え、切換操作を阻害することはない。
【００３３】
第１０の発明では、第４乃至第９のいずれか１つの発明において、
上記第２ガイド溝の近傍には、上記保持部材が所定の位置よりも下側に移動するのを規制するストッパ部が設けられている。
【００３４】
上記の構成によると、保持用弾性部材に付勢された保持部材がストッパ部によって、所定の位置よりも下側に移動するのを規制される。所定の位置とは具体的には、第２ガイドピンが第２ガイド溝の下端部にあるときに、保持部材が第２円板部に当接する位置又はそれよりも若干下方の位置とする。
【００３５】
第１１の発明では、第１乃至第１０のいずれか１つの発明において、
上記第１ガイドピンと第２ガイドピンとは、リンク部材によって連結され、該リンク部材が上記表示部の裏側に固定されている。
【００３６】
上記の構成によると、リンク部材によって第１ガイドピンと第２ガイドピンとが連動し、表示部が安定して回転すると共に、第１ガイドピンと第２ガイドピンとの位置決めが容易である。
【００３７】
第１２の発明では、第１乃至第１１のいずれか１つの発明において、
上記第１の筐体は、
上記ヒンジ部の一部を構成する第１の筐体本体と、
該第１の筐体本体に固定されるガイドプレートと、
を備え、
上記支持機構及び保持機構は、上記ガイドプレートに設けられている。
【００３８】
上記の構成によると、例えば、第１の筐体本体を剛性の高い成型品で構成し、ガイドプレートを加工の容易な板金で構成することで、全体の薄型化が図られると共に、支持機構及び保持機構の位置決めが容易である。また、支持機構及び保持機構をガイドプレートにユニット組立可能な構成とすれば、組立が容易となる。
【００３９】
第１３の発明では、第１２の発明において、
上記支持機構には、一端が上記第１ガイドピンに固定され、他端が上記ガイドプレートに固定され、表示部が縦長状態又は横長状態となるように付勢する切換補助用弾性部材が設けられている。
【００４０】
上記の構成によると、表示部に対する切換補助用弾性部材の付勢力のかかり方を調整することで、表示部を縦長状態から横長状態へ若しくは横長状態から縦長状態への切換、又はその両方の切換が切換補助用弾性部材によってアシストされる。
【００４１】
第１４の発明では、第１３の発明において、
上記切換補助用弾性部材は、上記第１ガイド溝の最上点近傍で最も圧縮されるように配置されている。
【００４２】
上記の構成によると、第１ガイド溝の最上点近傍で切換補助用弾性部材の力が最も蓄えられ、この最上点を超えることで、縦長状態から横長状態へ及び横長状態から縦長状態への切換が切換補助用弾性部材によってアシストされる。
【００４３】
第１５乃至１７の発明では、第１乃至第１４のいずれか１つの発明において、
上記第２ガイド溝は、上記ヒンジ部の軸方向に対して略直交する方向に伸び、上記ヒンジ部の軸方向に対して傾斜する方向に伸び、又は、湾曲する曲線形状を有している。
【００４４】
これらの発明によると、第２ガイド溝の形状により、要求された表示部の動きが達成される。
【００４５】
第１８の発明では、第１乃至第１７のいずれか１つの発明において、
折畳み式携帯通信端末は、携帯電話機とする。
【００４６】
上記の構成によると、多機能で使用頻度の高い携帯電話機において、表示部が縦長状態と横長状態とのいずれの状態にあるときでも、表示部のぐらつきが防止される。
【発明の効果】
【００４７】
以上説明したように、本発明の折畳み式携帯通信端末によれば、表示部の第１ガイドピンを第１ガイド溝に係合した状態でスライド移動させるのと同時に、表示部の第２ガイドピンを第２ガイド溝に係合した状態でスライド移動させ、保持機構により表示部が縦長状態と横長状態とのいずれの状態にあるときでも表示部を保持するようにしている。このため、表示部が縦長状態と横長状態とのいずれの状態にあるときでも、表示部のぐらつきを防止することができるので、ユーザは、快適に折畳み式携帯通信端末を使用することができる。また、ぐらつきによる支持機構の損傷を防止することができる。
【００４８】
上記第２の発明によると、保持機構によって表示部が縦長状態又は横長状態にあるときに第２ガイド溝の下端部に位置するのを付勢するようにしている。このため、簡単な構成で縦長状態及び横長状態における表示部のぐらつきを防止することができる。
【００４９】
上記第３の発明によると、第２ガイドピンの第２円板部を保持用弾性部材に付勢された保持部材により押圧している。このため、第２ガイドピンを安定させることで、容易に縦長状態及び横長状態における表示部のぐらつきを防止することができる。
【００５０】
上記第４の発明によると、第１の筐体に設けた保持部材支持用ピンに揺動自在に支持された保持部材を介して第２ガイドピンを保持用弾性部材によって第２ガイド溝の下端部に付勢している。このため、簡単な構成で表示部が縦長状態及び横長状態における表示部のぐらつきを防止することができる。また、保持用弾性部材の付勢力に抗して保持部材を揺動させることで容易に保持部材による保持を解除することができるので、切換操作をスムーズに行うことができる。
【００５１】
上記第５の発明によると、ねじりコイルバネにより、保持部材を下方へ付勢するようにしている。このため、簡易かつ耐久性の高い構成で表示部が縦長状態及び横長状態における表示部のぐらつきを防止することができる。
【００５２】
上記第６の発明によると、保持部材が第２円板部の上側面取り部を乗り越えることで、保持機構による保持を解除するようにしている。このため、スムーズに表示部の切換を行うことができる。
【００５３】
上記第７の発明によれば、表示部を縦長状態又は横長状態に切り換える際に再び第２ガイド溝の下端部に戻ってきた第２ガイドピンの下側面取り部に押されて保持部材が第２円板部を乗り越えるようにしている。このため、表示部をさらにスムーズに切り換えることができる。
【００５４】
上記第８の発明によると、下側面取り部の傾斜角を上側面取り部の傾斜角よりも小さくして表示部の切換を開始する際よりも切換が終了する際に保持部材が第２ガイドピンを乗り越えやすくしている。このため、表示部の切換操作をさらにスムーズに行うことができると共に、表示部が縦長状態又は横長状態における保持の信頼性を向上させることができる。
【００５５】
上記第９の発明によれば、表示部の切換を行って第２ガイドピンが第２ガイド溝の下端部に戻ってくる際に第２ガイドピンをテーパ面に当接させて保持部材の下面を通過しやすくしている。このため、保持機構が表示部の切換操作を阻害するのを効果的に防止することができる。
【００５６】
上記第１０の発明によると、ストッパ部によって、保持用弾性部材に付勢された保持部材が所定の位置よりも下側に移動するのを規制している。このため、簡単な構成で縦長状態及び横長状態における表示部のぐらつきを防止することができる。
【００５７】
上記第１１の発明によると、リンク部材によって第１ガイドピンと第２ガイドピンとを連結したことにより、表示部を安定して確実に切換操作することができると共に、支持機構を容易に組み立てることができる。
【００５８】
上記第１２の発明によると、支持機構及び保持機構を第１の筐体本体に固定されるガイドプレートに設けたことにより、第１の筐体を薄型化して折畳み式携帯通信端末をコンパクトにすることができると共に、支持機構及び保持機構を容易に組み立てることができる。
【００５９】
上記第１３の発明によると、切換補助用弾性部材によって、少なくとも表示部が縦長状態又は横長状態となるように切換操作をアシストさせている。このため、ユーザは、片手のみで表示部の切換操作を行うことができる。
【００６０】
上記第１４の発明によると、切換補助用弾性部材を第１ガイド溝の最上点近傍で最も圧縮されるように配置したことにより、縦長状態から横長状態への切換及び横長状態から縦長状態への切換を切換補助用弾性部材によってアシストすることができるので、表示部を片手でも簡単に縦長状態又は横長状態に切り換えることができる。
【００６１】
上記第１５乃至１７の発明によると、第２ガイド溝の形状を適切に選択することにより、表示部の切換操作をさらにスムーズに行うことができる。
【００６２】
上記第１８の発明によれば、折畳み式携帯通信端末を携帯電話機としたことにより、表示部が縦長状態と横長状態とのいずれの状態にあるときでもぐらつかず、操作性及び耐久性の高い携帯電話機が得られる。
【発明を実施するための最良の形態】
【００６３】
以下、本発明の実施形態を図面に基づいて説明する。
【００６４】
図１は、折畳み状態にある本発明の実施形態にかかる折畳み式携帯電話機を示す斜視図である。図２は、開いた状態で液晶表示部が縦長状態における折畳み式携帯電話機を示す斜視図である。図３は、液晶表示部を縦長状態又は横長状態に切り換える途中の折畳み式携帯電話機を示す斜視図である。図４は、開いた状態で液晶表示部が横長状態のとき折畳み式携帯電話機を示す斜視図である。
【００６５】
本実施形態の折畳み式携帯通信端末としての折畳み式携帯電話機１は、表面に表示部としての液晶表示部２が設けられた第１の筐体３と、表面に操作部４を有する第２の筐体５と、これら第１の筐体３と第２の筐体５とを折畳み開閉自在に連結するヒンジ部６とを備えている。このことで、折畳み式携帯電話機１は、図１に示す折畳み状態又は図２乃至図４に示す開き状態の２通りの状態に切換可能となっている。
【００６６】
上記第２の筐体５の操作部４には、複数の操作キー７が設けられている。この操作キー７は、折畳み式携帯電話機１全体を縦長に持ったときにキー入力できるように配置され、かつその表面に表示が付されている。この操作キー７を操作することで、折畳み式携帯電話機１の多数の機能が利用されるようになっている。また、第２の筐体５には、会話用のマイク部９が設けられている。
【００６７】
上記液晶表示部２及び操作部４は、第１の筐体３を第２の筐体５に対して折畳み状態から開いたときに現出するように構成されている。したがって、この折畳み式携帯電話機１では、液晶表示部２が縦長状態と横長状態とのいずれにおいても、ユーザは液晶表示部２の液晶ディスプレイ２ａを見ながら同じ縦状態の配置の操作部４の操作キー７を操作できるようになっている。
【００６８】
上記液晶表示部２は、縦長状態における下端部が直線状に形成され、液晶表示部２の表面の大部分を占めるように、矩形状の液晶ディスプレイ２ａが設けられている。液晶表示部２が縦長状態における上端側に会話用のスピーカ部８が設けられている。なお、液晶表示部２の各角部は下端側コーナー部２ｂを含め、デザイン上又は安全上の観点等から丸面取りされている。
【００６９】
図５〜図１０に液晶表示部２の状態が移り変わる際の、カム機構、保持機構及びガイドプレートを示し、（ａ）が斜視図で、（ｂ）が背面図で、（ｃ）が正面図である。上記第１の筐体３には、略矩形板状の液晶表示部２を縦長状態又は横長状態とに切換操作可能に支持する支持機構としてのカム機構１０が設けられている。第１の筐体３は、下端部両側に上記ヒンジ部６の軸部（図示せず）が挿通されるボス部３ａが形成された第１の筐体本体３ｂ（図１１及び図１２に示す）と、この第１の筐体本体３ｂを覆う矩形皿状の裏面カバー３ｃ（図１にのみ示す）と、後述するガイドプレート１６とを備えている。第１の筐体本体３ｂは、金属成型品であるマグネシウム合金等の鋳造フレームよりなる。
【００７０】
上記カム機構１０は、第１の筐体３に設けられ左右方向に延びかつ中凸状に湾曲した曲線状の第１ガイド溝１２と、第１の筐体３に設けられ上下方向に延びる直線状の第２ガイド溝１４と、液晶表示部２の裏面に設けられ上記第１ガイド溝１２にスライド自在に係合する第１ガイドピン１３と、液晶表示部２の裏面に設けられ上記第２ガイド溝１４にスライド自在に係合する第２ガイドピン１５とを備えている。
【００７１】
すなわち、上記第１ガイド溝１２と第２ガイド溝１４とは、上記第１の筐体本体３ｂに固定されるガイドプレート１６に形成されている。ガイドプレート１６は、ステンレス鋼などの板金で構成されている。第１ガイド溝１２は、中凸状に湾曲した曲線状開口の周縁部で構成され、折畳み式携帯電話機１を裏面から見たときに、その中心部は第１の筐体３の略中央に配置されている。第２ガイド溝１４は、第１ガイド溝１２の中凸形状の最上部近傍の上側にヒンジ部６に対して傾斜して設けられた直線状開口の周縁部よりなる。両ガイド溝１２，１４の液晶表示部２と反対側の面の開口周縁には、その他の部分よりも低くなった段差部１２ａ，１４ａが形成されている。このガイドプレート１６は、第１の筐体３の厚さ方向中間部に位置するように、その貫通孔１６ａにビス（図示せず）を挿通して締結するなどにより、第１の筐体本体３ｂに固定されている。
【００７２】
一方、上記液晶表示部２の裏面には、金属製のリンク部材１８が装着されている。このリンク部材１８は、液晶表示部２の裏面に締結又は位置決めするための貫通孔１８ａが設けられた板状の取付部１８ｂと、この取付部１８ｂから側面視Ｌ字状に連続する先端部１８ｃとを有している。上記第１ガイドピン１３は、リンク部材１８の一端側、すなわち、取付部１８ｂの先端に第１の筐体３側へ垂直に延びるように設けられている。上記第２ガイドピン１５は、上記リンク部材１８の他端側、すなわち、先端部１８ｃの端部に第１の筐体３側へ垂直に延びるように設けられている。これらのガイドピン１３，１５の先端に円形の円板部１３ａ，１５ａが形成され、この円板部１３ａ，１５ａが上記段差部１２ａ，１４ａ上をそれぞれ摺動するようになっている。このことで、ガイドピン１３，１５がガイド溝１２，１４から抜け止めされ、液晶表示部２が第１の筐体３から外れないようにスライド自在に係合するようになっている。また、リンク部材１８によって第１ガイドピン１３と第２ガイドピン１５とが連動し、液晶表示部２が安定して回転すると共に、第１ガイドピン１３と第２ガイドピン１５との位置決めが容易となっている。
【００７３】
上記ガイドプレート１６の下側には、バネ固定ピン１９が液晶表示部２側へ垂直に延びるように設けられている。このバネ固定ピン１９には、切換補助用弾性部材２０が固定されている。この切換補助用弾性部材２０は、ねじりコイルバネよりなり、その両端部２０ａ，２０ｂはリング状に形成され、その一端２０ａが上記第１ガイドピン１３の外周に回転可能に嵌められ、他端２０ｂがバネ固定ピン１９外周に回転可能に嵌められている。このことで、切換補助用弾性部材２０は、バネ固定ピン１９を中心に左右に揺動可能に支持され、その弾性力により、液晶表示部２が縦長状態から横長状態となるのを付勢し、かつ縦長状態から横長状態となるのを付勢するように配置されている。具体的には、図７のように、第１ガイドピン１３がバネ固定ピン１９に最も近付いたとき（第２ガイドピン１５が第２ガイド溝１４の上端部１４ｃに位置したとき）の近傍において、切換補助用弾性部材２０は最大たわみ角となり最も圧縮されるように配置され、そこから第１ガイドピン１３が左右いずれかの方向にずれることで、液晶表示部２が縦長状態又は横長状態となるように付勢するようになっている。
【００７４】
詳しくは図示しないが、液晶表示部２と第２の筐体５とを電気的に接続する信号線は、一端が液晶ディスプレイ２ａの裏面の液晶基板（図示せず）に接続され、他端が上記ヒンジ部６のヒンジ軸挿通孔６ａを通って第２の筐体５側のメイン基板（図示せず）に接続されている。信号線は、液晶表示部２が縦長状態又は横長状態に切り換えられる際にも、カム機構１０の動きを阻害しないように第１の筐体本体３ｂの表面に設けた信号線配線用凹溝２４（図１１に示す）に収納されている。
【００７５】
上記ガイドプレート１６には、液晶表示部２が縦長状態にあるときと横長状態にあるときのいずれにおいても、液晶表示部２を保持する保持機構３０が設けられている。この保持機構３０は、第２ガイドピン１５を付勢するように構成されている。すなわち、保持機構３０は、第２円板部１５ａを保持する保持部材３１と、この保持部材３１を付勢する保持用弾性部材３２とを備えている。
【００７６】
上記保持部材３１は、第１の筐体３に設けた保持部材支持用ピン３３に揺動自在に支持され、上記保持用弾性部材３２によって上記第２ガイドピン１５を上記第２ガイド溝１４の下端部１４ｂに付勢するように構成されている。保持部材３１の下側には、第２円板部１５ａが嵌り込む凹部３１ａが形成されている。この凹部３１ａにより、第２円板部１５ａが確実に保持されるようになっている。保持用弾性部材３２は、一端３２ａが上記第１の筐体３に固定され、他端３２ｂが上記保持部材３１を下方へ付勢するねじりコイルバネよりなる。ねじりコイルバネとすることで、簡易かつ耐久性の高い構成で保持部材３１に付勢力が与えられる。
【００７７】
上記第２ガイドピン１５の第２円板部１５ａの上面の上側には、上記保持部材３１による規制を解除する際に保持部材３１が乗り越える上側面取り部１５ｂが形成されている。第２円板部１５ａの上面の下側には、上記液晶表示部２が切換操作されて縦長状態又は横長状態で保持される際に保持部材３１が乗り越える下側面取り部１５ｃが形成されている。下側面取り部１５ｃの傾斜角は、上側面取り部１５ｂの傾斜角よりも小さくなっている。
【００７８】
上記保持部材３１上側の上記第２円板部１５ａに当接する部分には、第２ガイド溝１４から離れる方向へ折り曲げられたテーパ面３１ｂが形成されている。
【００７９】
第２ガイド溝１４の近傍には、上記保持部材３１が所定の位置よりも下側に移動するのを規制するストッパ部３５が設けられている。保持用弾性部材３２に付勢された保持部材３１がストッパ部３５によって、所定の位置よりも下側に移動するのを規制される。所定の位置とは具体的には、第２ガイドピン１５が第２ガイド溝１４の下端部１４ｂにあるときに、保持部材３１が第２円板部１５ａに当接する位置又はそれよりも若干下方の位置とする。若干下方の位置とすることで、確実に第２ガイドピン１５が保持される。
【００８０】
上記カム機構１０と保持機構３０と切換補助用弾性部材２０とは、ユニット組立可能に構成され、このユニット組立されたカム機構１０は、ガイドプレート１６を第１の筐体本体３ｂに取り付けることで、第１の筐体３に容易に取り付けられるようになっている。
【００８１】
−作用−
次に、本実施形態にかかる折畳み式携帯電話機１の作動について説明する。
【００８２】
まず、図１に示すように、折畳み式携帯電話機１を使用しないとき、又は待機状態のときなどは、第１の筐体３と第２の筐体５とが閉じられて折畳み状態にある。
【００８３】
そして、図２に示すように、第１の筐体３と第２の筐体５とを開くと、液晶表示部２と操作部４とが現出する。通常の通話時やメール送受信時などには、液晶表示部２を縦長状態とし、操作部４でキー入力しながら使用する。このとき、図５に示すように、第２ガイドピン１５は、第２ガイド溝１４の下端部１４ｂに位置し、第１ガイドピン１３は表面から見て第１ガイド溝１２の右端部１２ｂに位置する。第２ガイドピン１５の第２円板部１５ａが、保持用弾性部材３２に付勢された保持部材３１により下方に押圧される。このことで、第２ガイドピン１５が安定するので、結果として液晶表示部２のぐらつきが防止される。第２円板部１５ａの上面に設けた上側面取り部１５ｂの傾斜角は、下側面取り部１５ｃの傾斜角よりも大きいので、意図せず縦長状態又は横長状態における保持が解除されるのが防止される。
【００８４】
一方、地上デジタルテレビ放送の視聴や英文でメールを作成したり読んだりするときなど横長画像を見たいときには、ユーザが液晶表示部２を回転させ縦長状態から横長状態に切り換える。
【００８５】
まず、ユーザは液晶表示部２を切換補助用弾性部材２０の付勢力に抗して表面から見て時計回りに回転させる。図６に示すように、第２円板部１５ａが保持用弾性部材３２の付勢力に抗して保持部材３１を上方へ揺動させることにより、第２円板部１５ａが凹部３１ａから外れて保持部材３１による保持が解除される。この際、液晶表示部２に一定以上の力を加えれば、保持部材３１が第２円板部１５ａの上面の上側面取り部１５ｂをスムーズに乗り越える。
【００８６】
次いで、下端側コーナー部２ｂを移動させる。このとき、図７に示すように表面から見て第２ガイド溝１４の下端部１４ｂにあった第２ガイドピン１５が上端部１４ｃに移動し、第１ガイド溝１２の右端部１２ｂにあった第１ガイドピン１３が中央に移動する。保持用弾性部材３２に付勢された保持部材３１は、ストッパ部３５に当接して下側に移動するのを規制される。
【００８７】
次いで、切換補助用弾性部材２０の最大たわみ角を超えると、その付勢力によって液晶表示部２がアシストされながら、図４に示す横長状態に切り換えられる。このとき、図８に示すように、表面から見て第２ガイド溝１４の上端部１４ｃにあった第２ガイドピン１５が下方へ移動し、第１ガイド溝１２の中央にあった第１ガイドピン１３が左方へ移動する。この上昇した第２ガイドピン１５は、再び第２ガイド溝１４の下端部１４ｂに戻ってくる際に、まず保持部材３１のテーパ面３１ｂに当接して保持部材３１を上に押し上げながら容易に保持部材３１の下面を通過する。このとき、第２円板部１５ａには、下側面取り部１５ｃが形成されているので、保持部材３１が容易に第２円板部１５ａを乗り越え、切換操作を阻害することはない。さらに、下側面取り部１５ｃの傾斜角を小さくすることで、保持部材３１が滑らかに第２円板部１５ａ上を移動するので、液晶表示部２の切換がスムーズに終了する。
【００８８】
このように、カム機構１０により、液晶表示部２の第１ガイドピン１３が第１ガイド溝１２内を中間で最も上方に位置するように左右方向にスライド移動するのと同時に、第２ガイドピン１５が第２ガイド溝１４に係合した状態で上端部１４ｃまでスライド移動した後、再び下端部１４ｂにスライド移動する。
【００８９】
図１３に、下端側コーナー部２ｂがカム機構１０による移動規制により、描いた軌跡を背面から見た概略を示す。このとき、下端側コーナー部２ｂは丸面取りされているので、その丸面取りした部分の切換時の最下端部は、ヒンジ部６との間に一定の隙間Ｓを保った直線状の軌跡でもって移動するように案内支持される。このため、液晶表示部２がこの軌跡よりも下側へ移動することはないので、従来のように液晶表示部２の下端をその支持軸を中心とした半径に沿って丸めなくても、液晶表示部２がヒンジ部６に接触することはない。
【００９０】
図４に示す横長状態でも、上記液晶表示部２の左右方向中央部は、第１の筐体３の略左右方向中央に位置している。そして、液晶ディスプレイ２ａに横長画像が大きく表示されるように設定して、操作部４でキー入力しながら、テレビからクイズ番組に参加したり、テレビショッピングや銀行振り込みなどをテレビを通じて利用したりする。
【００９１】
図９に示すように、液晶表示部２が横長状態にあるときには、第２ガイドピン１５は、第２ガイド溝１４の下端部１４ｂに位置し、第１ガイドピン１３は第１ガイド溝１２の左端部１２ｃに位置する。
【００９２】
このように、液晶表示部２は、縦長状態にあるときと横長状態にあるときのいずれにおいても、保持機構３０により保持されるので、ぐらつきが生じやすい横長状態であっても、ユーザは液晶表示部２のぐらつきを感じることはない。
【００９３】
ところで、第１ガイドピン１３は、縦長状態又は横長状態にあるときには、第１ガイド溝１２の左右端部１２ｂ，１２ｃのいずれかに位置するため、保持機構３０によって第１ガイドピン１３を保持しようとすると、両方の位置において第１ガイドピン１３を付勢する必要がある。しかし、本実施形態では、液晶表示部２が縦長状態及び横長状態のいずれの場合も第２ガイド溝１４の下端部１４ｂに位置する第２ガイドピン１５を付勢しているので、部品点数が減って簡単な構成の保持機構３０が得られる。
【００９４】
一方、使用後は、上記とは反対に、液晶表示部２の右側の上記下端側コーナー部２ｂを切換補助用弾性部材２０の付勢力に抗するように、表面から見て反時計回りに回動させ、切換補助用弾性部材２０がその最大たわみ角を超えると、その付勢力によって液晶表示部２がアシストされながら、縦長状態に戻る。
【００９５】
そして、第１の筐体３と第２の筐体５とを折り畳んで待機状態とする。
【００９６】
−実施形態の効果−
したがって、本実施形態にかかる折畳み式携帯電話機１によると、液晶表示部２の第１ガイドピン１３を第１ガイド溝１２に係合した状態でスライド移動させるのと同時に、液晶表示部２の第２ガイドピン１５を第２ガイド溝１４に係合した状態でスライド移動させ、保持機構３０により液晶表示部２が縦長状態と横長状態とのいずれの状態にあるときでも液晶表示部２を保持するようにしている。このため、液晶表示部２が縦長状態と横長状態とのいずれの状態にあるときでも、液晶表示部２のぐらつきを防止することができるので、ユーザは、快適に折畳み式携帯電話機１を使用することができる。また、ぐらつきによるカム機構１０の損傷を防止することができる。
【００９７】
上記実施形態では、保持機構３０によって液晶表示部２が縦長状態又は横長状態にあるときに第２ガイド溝１４の下端部１４ｂに位置する第２ガイドピン１５を付勢するようにしている。このため、簡単な構成で縦長状態及び横長状態における液晶表示部２のぐらつきを防止することができる。
【００９８】
上記実施形態では、第２ガイドピン１５の第２円板部１５ａを保持用弾性部材３２に付勢された保持部材３１により押圧している。このため、第２ガイドピン１５を安定させることで、容易に縦長状態及び横長状態における液晶表示部２のぐらつきを防止することができる。
【００９９】
上記実施形態では、第１の筐体３の保持部材支持用ピン３３に揺動自在に支持された保持部材３１を介して第２ガイドピン１５を保持用弾性部材３２によって第２ガイド溝１４の下端部１４ｂに付勢している。このため、簡単な構成で液晶表示部２が縦長状態及び横長状態におけるぐらつきを防止することができる。また、保持用弾性部材３２の付勢力に抗して保持部材３１を揺動させることで容易に保持部材３１による保持を解除することができるので、切換操作をスムーズに行うことができる。
【０１００】
上記実施形態では、ねじりコイルバネよりなる保持用弾性部材３２により、保持部材３１を下方へ付勢するようにしている。このため、簡易かつ耐久性の高い構成で液晶表示部２が縦長状態及び横長状態における液晶表示部２のぐらつきを防止することができる。
【０１０１】
上記実施形態では、保持部材３１が第２円板部１５ａの上側面取り部１５ｂを乗り越えることで保持機構３０による保持を解除するようにしている。このため、スムーズに液晶表示部２の切換を行うことができる。
【０１０２】
上記実施形態では、液晶表示部２を縦長状態又は横長状態に切り換える際に再び第２ガイド溝１４の下端部１４ｂに戻ってきた第２ガイドピン１５の下側面取り部１５ｃに押されて保持部材３１が第２円板部１５ａを乗り越えるようにしている。このため、液晶表示部２をさらにスムーズに切り換えることができる。
【０１０３】
上記実施形態では、下側面取り部１５ｃの傾斜角を上側面取り部１５ｂの傾斜角よりも小さくして液晶表示部２の切換を開始する際よりも切換が終了する際に保持部材３１が第２ガイドピン１５を乗り越えやすくしている。このため、液晶表示部２の切換操作をさらにスムーズに行うことができると共に、液晶表示部２が縦長状態又は横長状態における保持の信頼性を向上させることができる。
【０１０４】
上記実施形態では、液晶表示部２の切換を行って第２ガイドピン１５が第２ガイド溝１４の下端部１４ｂに戻ってくる際に第２ガイドピン１５をテーパ面３１ｂに当接させて保持部材３１の下面を通過しやすくしている。このため、保持機構３０が液晶表示部２の切換操作を阻害するのを効果的に防止することができる。
【０１０５】
上記実施形態では、ストッパ部３５によって、保持用弾性部材３２に付勢された保持部材３１が所定の位置よりも下側に移動するのを規制している。このため、簡単な構成で縦長状態及び横長状態における液晶表示部２のぐらつきを防止することができる。
【０１０６】
上記実施形態では、リンク部材１８によって第１ガイドピン１３と第２ガイドピン１５とを連結したことにより、液晶表示部２を安定して確実に切換操作することができると共に、カム機構１０を容易に組み立てることができる。
【０１０７】
上記実施形態では、カム機構１０及び保持機構３０を第１の筐体本体３ｂに固定されるガイドプレート１６に設けたことにより、第１の筐体３を薄型化して折畳み式携帯電話機１をコンパクトにすることができると共に、カム機構１０及び保持機構３０を容易に組み立てることができる。
【０１０８】
上記実施形態では、切換補助用弾性部材２０を第１ガイド溝１２の最上点近傍で最も圧縮されるように配置したことにより、縦長状態から横長状態への切換及び横長状態から縦長状態への切換を切換補助用弾性部材２０によってアシストすることができるので、液晶表示部２を片手でも簡単に縦長状態又は横長状態に切り換えることができる。
【０１０９】
（その他の実施形態）
本発明は、上記実施形態について、以下のような構成としてもよい。
【０１１０】
すなわち、第１ガイド溝１２及び第２ガイド溝１４の形状は、上記実施形態にとらわれない。例えば、第２ガイド溝は、ヒンジ部６の軸方向に対して略直交する方向に伸ばしてもよく、湾曲する曲線形状を有するものとしてもよい。この場合でも、丸面取りされた下端側コーナー部２ｂの最下端部は、ヒンジ部６との間に一定の隙間Ｓを保った直線状の軌跡でもって移動するように案内支持される。このように、第１ガイド溝１２及び第２ガイド溝１４の最適な形状を選択することで、要求される液晶表示部２の動きを容易に達成することができる。
【０１１１】
上記実施形態では、カム機構１０によって、液晶表示部２を、その下端側コーナー部２ｂがヒンジ部６に沿った直線状の軌跡でもって移動するように案内支持しているが、曲線的な軌跡でもって移動するようにしてもよい。この場合には、第１ガイド溝１２の形状で液晶表示部２の下端側コーナー部２ｂの軌跡を調整すればよい。このことで、第１の筐体３の下端部におけるヒンジ部６との間の膨出部にカメラなどを設けることも可能となり、この場合にも膨出部に液晶表示部２の下端側コーナー部２ｂが接触するのを防ぐことができる。
【０１１２】
上記実施形態では、第１ガイド溝１２を１つのみ設けたが、２つ設けてもよい。この場合には、第２ガイド溝１４の上方にさらに傾斜のきつい中凸状の第２の第１ガイド溝１２を設け、この第２の第１ガイド溝１２内にリンク部材１８に設けた第２の第１ガイドピンを移動させればよい。このようにすることで、さらに、液晶表示部２を滑らかに切換操作可能かつ液晶表示部２を第１の筐体３から引き離そうとする力に対してもさらに対抗しうるように堅固に支持することができる。このため、液晶表示部２が縦長状態にあるときと横長状態にあるときのいずれにおいても、さらに確実に液晶表示部２のぐらつきを防止することができる。
【０１１３】
上記実施形態では、上記カム機構１０と保持機構３０とをユニット組立しているが、全てユニット組立しなくても、第１ガイド溝１２と第２ガイド溝１４とを第１の筐体３のガイドプレート１６に一体に設け、第１ガイドピン１３と第２ガイドピン１５とを液晶表示部２裏面に一体に設け、かしめ、締結等により、後付で円板部１３ａ，１５ａを設けてもよい。
【０１１４】
上記実施形態では、切換補助用弾性部材２０によって、液晶表示部２を縦長状態と横長状態とのいずれの状態に切り換えるときでも付勢するように配置しているが、縦長状態又は横長状態になるときのみを優先して付勢するようにしてもよい。
【０１１５】
上記実施形態では、カム機構１０は、液晶表示部２を表面から見て時計回りに縦長状態から横長状態に切り換えているが、反時計回りに切り換えるようにしてもよい。さらに、表面から見て時計回り及び反時計回りに切り換えるようにしてもよい。この場合には、第１ガイド溝１２を、表面側から見たときに中間点が最も下側へ突出し、カモメが羽根を広げたような形状を有する開口の周縁部で構成し、第２ガイド溝１４を、ガイドプレート１６における、第１ガイド溝１２の中間点の上方に略垂直に延びた開口の周縁部で構成すればよい。この場合には、いずれの方向に回転させた場合でも、液晶表示部２が縦長状態又は横長状態にあるときには、第２ガイド溝１４の下端部１４ｂに位置するので同様の保持機構３０を設けることができる。
【０１１６】
上記実施形態では、液晶表示部２の縦長状態及び横長状態における左右方向中央部を第１の筐体３の略左右方向中央に位置させているが、左右のいずれかに若干オフセットさせてもよい。
【０１１７】
上記実施形態では、表示部としての液晶表示部２は液晶ディスプレイ２ａを有しているとしたが、有機ＥＬディスプレイを有していてもよい。有機ＥＬディスプレイは、自発光を発するため消費電力が小さく、液晶ディスプレイに比べて視野角が広く、かつバックライトを必要としないため、薄型化が可能である。
【０１１８】
上記実施形態では、折畳み式携帯通信端末は、携帯電話機としたが、ＰＨＳ、ＰＤＡ、通信機能を有するゲーム機等であってもよい。
【０１１９】
なお、以上の実施形態は、本質的に好ましい例示であって、本発明、その適用物や用途の範囲を制限することを意図するものではない。
【産業上の利用可能性】
【０１２０】
以上説明したように、本発明は、携帯電話機などの液晶表示部を縦長状態又は横長状態に切換操作可能に支持する支持機構を有する折畳み式携帯通信端末について有用である。
【図面の簡単な説明】
【０１２１】
【図１】折畳み状態にある本発明の実施形態にかかる折畳み式携帯電話機を示す斜視図である。
【図２】開いた状態で液晶表示部が縦長状態における折畳み式携帯電話機を示す斜視図である。
【図３】液晶表示部が縦長状態から若干回転された状態の折畳み式携帯電話機を示す斜視図である。
【図４】開いた状態で液晶表示部が横長状態のとき折畳み式携帯電話機を示す斜視図である。
【図５】液晶表示部が縦長状態におけるカム機構、保持機構及びガイドプレートを示し、（ａ）が斜視図で、（ｂ）が背面図で、（ｃ）が正面図である。
【図６】液晶表示部が縦長状態から若干回転された状態における図４相当図である。
【図７】液晶表示部が縦長状態から約４５°回転された状態における図４相当図である。
【図８】液晶表示部が横長状態になる直前の図４相当図である。
【図９】液晶表示部が横長状態における図４相当図である。
【図１０】保持部材が第２円板部の上面を乗り越える状態を示す斜視図である。
【図１１】第１の筐体本体を表面側から見た斜視図である。
【図１２】第１の筐体本体を背面側から見た斜視図である。
【図１３】第１の筐体の下端側コーナー部の軌跡を示す説明図である。
【符号の説明】
【０１２２】
１      折畳み式携帯電話（折畳み式携帯通信機器）
２      液晶表示部（表示部）
３      第１の筐体
３ａ    第１の筐体本体
３ｂ    裏面カバー
４      操作部
５      第２の筐体
６      ヒンジ部
１０      カム機構（支持機構）
１２      第１ガイド溝
１３      第１ガイドピン
１３ａ    第１円板部
１４      第２ガイド溝
１４ａ    下端部
１５      第２ガイドピン
１５ａ    第２円板部
１５ｂ    上側面取り部
１５ｃ    下側面取り部
１６      ガイドプレート
１８      リンク部材
２０      切換補助用弾性部材
２０ａ    一端
２０ｂ    他端
３０      保持機構
３１      保持部材
３１ａ    テーパ面
３２      保持用弾性部材
３３      保持部材支持用ピン
３５      ストッパ部
【図１】
2008193522.tif 000003
【図２】
2008193522.tif 000004
【図３】
2008193522.tif 000005
【図４】
2008193522.tif 000006
【図５】
2008193522.tif 000007
【図６】
2008193522.tif 000008
【図７】
2008193522.tif 000009
【図８】
2008193522.tif 000010
【図９】
2008193522.tif 000011
【図１０】
2008193522.tif 000012
【図１１】
2008193522.tif 000013
【図１２】
2008193522.tif 000014
【図１３】
2008193522.tif 000015